(57)【特許請求の範囲】
【請求項１】
第１のウェブサーバ及び第２のウェブサーバと通信可能な通信部と、
前記第１のウェブサーバが提供する第１のウェブサイトの所定期間における第１のページビューと、前記第２のウェブサーバが提供する第２のウェブサイトの前記所定期間における第２のページビューとを記憶可能な記憶部と、
前記第１のページビューと前記第２のページビューとの比率に応じて、前記第１のウェブサイト内で前記第２のウェブサイトに関連するコンテンツが表示される第１のコンテンツ枠の表示態様と、前記第２のウェブサイト内で前記第１のウェブサイトに関連するコンテンツが表示される第２のコンテンツ枠の表示態様とを、前記第１のコンテンツ枠の露出度と前記第２のコンテンツ枠の露出度とがほぼ同等となるように決定し、
前記決定された第１のコンテンツ枠の表示態様に関する情報を前記第１のウェブサーバへ送信し、前記決定された第２のコンテンツ枠の表示態様に関する情報を前記第２のウェブサーバへ送信するように前記通信部を制御する
ことが可能な制御部と
を具備するサーバ装置。
【請求項２】
請求項１に記載のサーバ装置であって、
前記制御部は、前記比率に応じて、前記第１のコンテンツ枠の面積と前記第２のコンテンツ枠の面積とを決定する
サーバ装置。
【請求項３】
請求項１に記載のサーバ装置であって、
前記制御部は、前記比率に応じて、前記第１のコンテンツ枠の位置と前記第２のコンテンツ枠の位置とを決定する
サーバ装置。
【請求項４】
請求項１に記載のサーバ装置であって、
前記記憶部は、前記第１のページビューと前記第２のページビューとを前記第１のウェブサイトが有する階層状に構成された複数のページ毎及び前記第２のウェブサイトが有する階層状に構成された複数のページ毎に記憶し、
前記制御部は、前記比率に応じて、前記第１のコンテンツ枠が表示される前記第１のウェブサイト内の階層と、前記第２のコンテンツ枠が表示される前記第２のウェブサイト内の階層と決定する
サーバ装置。
【請求項５】
請求項１に記載のサーバ装置であって、
前記記憶部は、前記第１のウェブサイトに対するユーザの検索要求に対して表示された検索結果ページのページビューと、前記第２のウェブサイトに対する前記検索要求に対して表示された検索結果ページのページビューとを検索条件毎に記憶し、
前記制御部は、前記比率を基に、前記第１のウェブサイトと前記第２のウェブサイトのうち少なくとも一方のウェブサイトにおいて、所定の検索条件による検索要求に対して表示された検索結果ページにコンテンツ枠が表示されるように決定する
サーバ装置。
【請求項６】
第１のウェブサーバが提供する第１のウェブサイトの所定期間における第１のページビューと、第２のウェブサーバが提供する第２のウェブサイトの前記所定期間における第２のページビューとを取得し、
前記第１のページビューと前記第２のページビューとの比率に応じて、前記第１のウェブサイト内で前記第２のウェブサイトに関連するコンテンツが表示される第１のコンテンツ枠の表示態様と、前記第２のウェブサイト内で前記第１のウェブサイトに関連するコンテンツが表示される第２のコンテンツ枠の表示態様とを、前記第１のコンテンツ枠の露出度と前記第２のコンテンツ枠の露出度とがほぼ同等となるように決定し、
前記決定された第１のコンテンツ枠の表示態様に関する情報を前記第１のウェブサーバへ送信し、
前記決定された第２のコンテンツ枠の表示態様に関する情報を前記第２のウェブサーバへ送信する
情報処理方法。
【請求項７】
サーバ装置に、
第１のウェブサーバが提供する第１のウェブサイトの所定期間における第１のページビューと、第２のウェブサーバが提供する第２のウェブサイトの前記所定期間における第２のページビューとを取得するステップと、
前記第１のページビューと前記第２のページビューとの比率に応じて、前記第１のウェブサイト内で前記第２のウェブサイトに関連するコンテンツが表示される第１のコンテンツ枠の表示態様と、前記第２のウェブサイト内で前記第１のウェブサイトに関連するコンテンツが表示される第２のコンテンツ枠の表示態様とを、前記第１のコンテンツ枠の露出度と前記第２のコンテンツ枠の露出度とがほぼ同等となるように決定するステップと、
前記決定された第１のコンテンツ枠の表示態様に関する情報を前記第１のウェブサーバへ送信するステップと、
前記決定された第２のコンテンツ枠の表示態様に関する情報を前記第２のウェブサーバへ送信するステップと
を実行させるプログラム。
【発明の詳細な説明】
【技術分野】
【０００１】
本発明は、インターネット上でサービスを提供するウェブサーバと通信可能なサーバ装置、当該サーバ装置における情報処理方法及びプログラムに関する。
【背景技術】
【０００２】
従来から、インターネット上の広告枠を複数のサービス間で交換する技術が存在する。下記特許文献１には、媒体社が、システム主催者へ自社媒体のウェブサイト上の広告枠を無料で提供する代わりに、自社の広告を出稿したい他の媒体者を選び、その媒体社のウェブサイトへ無料で広告を出稿することができるシステムが記載されている。
【先行技術文献】
【特許文献】
【０００３】
【特許文献１】特開２００１−３５７２８４号公報
【発明の概要】
【発明が解決しようとする課題】
【０００４】
しかしながら、インターネット上のウェブサイト間では、それらの注目度等によってページビューに差があるのが通常である。したがって、ページビューが異なるウェブサイト間で広告枠が交換されると、ページビューの差によってそれらの広告の露出度に差が生じるため、結果として想定していた広告効果が得られないことになる。【０００５】
以上のような事情に鑑み、本発明の目的は、異なるページビューを有するウェブサイト間で、不都合なく広告枠を交換させることが可能なサーバ装置、当該サーバ装置における情報処理方法及びプログラムを提供することにある。
【課題を解決するための手段】
【０００６】
上述の課題を解決するため、本発明の一形態に係るサーバ装置は、通信部と記憶部と制御部とを有する。上記通信部は、第１のウェブサーバ及び第２のウェブサーバと通信可能である。上記記憶部は、上記第１のウェブサーバが提供する第１のウェブサイトの所定期間における第１のページビューと、上記第２のウェブサーバが提供する第２のウェブサイトの上記所定期間における第２のページビューとを記憶可能である。上記制御部は、上記第１のページビューと上記第２のページビューとの比率に応じて、上記第１のウェブサイト内で上記第２のウェブサイトに関連するコンテンツが表示される第１のコンテンツ枠の表示態様と、上記第２のウェブサイト内で上記第１のウェブサイトに関連するコンテンツが表示される第２のコンテンツ枠の表示態様とを、上記第１のコンテンツ枠の露出度と上記第２のコンテンツ枠の露出度とがほぼ同等となるように決定することが可能である。また制御部は、上記決定された第１のコンテンツ枠の表示態様に関する情報を上記第１のウェブサーバへ送信し、上記決定された第２のコンテンツ枠の表示態様に関する情報を上記第２のウェブサーバへ送信するように上記送信部を制御することが可能である。【０００７】
この構成によりサーバ装置は、異なるページビューを有するウェブサイト間で、不都合なく広告枠を交換させることができる。【０００８】
上記制御部は、上記比率に応じて、上記第１のコンテンツ枠の面積と上記第２のコンテンツ枠の面積とを決定してもよい。【０００９】
これによりサーバ装置は、ページビューが少ないページのコンテンツ枠は大きく表示させ、ページビューが多いページのコンテンツ枠は小さく表示させることで、両サイトにおけるコンテンツ枠の露出度を同等になるよう調整できる。【００１０】
上記制御部は、上記比率に応じて、上記第１のコンテンツ枠の位置と上記第２のコンテンツ枠の位置とを決定してもよい。【００１１】
これによりサーバ装置は、ページビューが少ないページのコンテンツ枠は例えばページ上部に、ページビューが多いページのコンテンツ枠は例えばページ下部に表示させることで、両サイトにおけるコンテンツ枠の露出度を同等になるよう調整できる。【００１２】
上記記憶部は、上記第１のページビューと上記第２のページビューとを上記第１のウェブサイトが有する階層状に構成された複数のページ毎及び上記第２のウェブサイトが有する階層状に構成された複数のページ毎に記憶してもよい。この場合、上記制御部は、上記比率に応じて、上記第１のコンテンツ枠が表示される上記第１のウェブサイト内の階層と、上記第２のコンテンツ枠が表示される上記第２のウェブサイト内の階層と決定してもよい。【００１３】
サーバ装置は例えば、ページビューが少ないサイトにおいてはトップページにコンテンツ枠を表示させ、ページビューが多いサイトにおいては下層のページ（例えば特定のジャンルで絞り込んだ場合のページ）に表示させる。これによりサーバ装置は、階層状に構成されたページ毎にコンテンツ枠を出し分けさせることで、両サイトにおけるコンテンツ枠の露出度を同等になるよう調整できる。【００１４】
上記記憶部は、上記第１のウェブサイトに対するユーザの検索要求に対して表示された検索結果ページのページビューと、上記第２のウェブサイトに対する上記検索要求に対して表示された検索結果ページのページビューとを検索条件毎に記憶してもよい。この場合上記制御部は、上記比率を基に、上記第１のウェブサイトと上記第２のウェブサイトのうち少なくとも一方のウェブサイトにおいて、所定の検索条件による検索要求に対して表示された検索結果ページにコンテンツ枠が表示されるように決定してもよい。【００１５】
この構成では、例えば、ページビューが多いウェブサイト上では、キーワード検索がなされた場合にのみ、または、所定のキーワードが入力された場合にのみ、コンテンツ枠が表示される。これによりサーバ装置は、ユーザからの所定の検索要求に応じてコンテンツ枠の出し分けさせることで、両サイトにおけるコンテンツ枠の露出度を同等になるよう調整できる。【００１６】
本発明の他の形態に係る情報処理方法は、
第１のウェブサーバが提供する第１のウェブサイトの所定期間における第１のページビューと、上記第２のウェブサーバが提供する第２のウェブサイトの上記所定期間における第２のページビューとを取得すること、
上記第１のページビューと上記第２のページビューとの比率に応じて、上記第１のウェブサイト内で上記第２のウェブサイトに関連するコンテンツが表示される第１のコンテンツ枠の表示態様と、上記第２のウェブサイト内で上記第１のウェブサイトに関連するコンテンツが表示される第２のコンテンツ枠の表示態様とを、上記第１のコンテンツ枠の露出度と上記第２のコンテンツ枠の露出度とがほぼ同等となるように決定すること、
上記決定された第１のコンテンツ枠の表示態様に関する情報を上記第１のウェブサーバへ送信すること、及び、
上記決定された第２のコンテンツ枠の表示態様に関する情報を上記第２のウェブサーバへ送信することを含む。【００１７】
本発明のまた別の形態に係るプログラムは、サーバ装置に、
第１のウェブサーバが提供する第１のウェブサイトの所定期間における第１のページビューと、上記第２のウェブサーバが提供する第２のウェブサイトの上記所定期間における第２のページビューとを取得するステップと、
上記第１のページビューと上記第２のページビューとの比率に応じて、上記第１のウェブサイト内で上記第２のウェブサイトに関連するコンテンツが表示される第１のコンテンツ枠の表示態様と、上記第２のウェブサイト内で上記第１のウェブサイトに関連するコンテンツが表示される第２のコンテンツ枠の表示態様とを、上記第１のコンテンツ枠の露出度と上記第２のコンテンツ枠の露出度とがほぼ同等となるように決定するステップと、
上記決定された第１のコンテンツ枠の表示態様に関する情報を上記第１のウェブサーバへ送信するステップと、
上記決定された第２のコンテンツ枠の表示態様に関する情報を上記第２のウェブサーバへ送信するステップと
を実行させる。【００１８】
以上のように、本発明によれば、異なるページビューを有するウェブサイト間で、不都合なく広告枠を交換させることができる。ここに記載された効果は必ずしも本発明を限定するものではなく、本発明は、本開示中に記載されたいずれかの効果が達成できればよい。
【図面の簡単な説明】
【００１９】
【図１】本発明の一実施形態に係る広告枠交換システムの構成を示した図である。
【図２】上記システムにおける広告枠管理サーバのハードウェア構成を示した図である。
【図３】上記広告枠管理サーバが有するページビューデータベースの構成を示した図である。
【図４】上記広告枠管理サーバの動作の流れを示したフローチャートである。
【図５】上記システムにおける第１ウェブサーバの動作の流れを示したフローチャートである。
【図６】上記第１ウェブサーバが提供するトップページの例を示した図である。
【図７】上記システムにおける第２ウェブサーバが提供するトップページの例を示した図である。
【発明を実施するための形態】
【００２０】
以下、本発明に係る実施形態を、図面を参照しながら説明する。
【００２１】
［システムの構成］
図１は、本実施形態に係る広告枠交換システムの構成を示した図である。
【００２２】
同図に示すように、このシステムは、広告枠管理サーバ１００と、複数のウェブサーバ（第１のウェブサーバ２００及び第２のウェブサーバ３００）と、複数のユーザ端末４００を含む。
【００２３】
広告枠管理サーバ１００は、インターネット５０を介して第１のウェブサーバ２００及び第２のウェブサーバ３００と通信可能とされている。
【００２４】
第１のウェブサーバ２００及び第２のウェブサーバ３００は、それぞれＥＣサイトを有し、ユーザ端末４００に対してＥＣサービスを提供する。ＥＣサイトとしては、例えば通信販売サイト、電子モールサイト、オークションサイト、旅行予約サイト等、様々なものが想定される。
【００２５】
同図ではＥＣサイトを運営するウェブサーバとして第１のウェブサーバ２００及び第２のウェブサーバ３００の２つのみが示されているが、ウェブサーバは３つ以上存在していても構わない。
【００２６】
第１のウェブサーバ２００と第２のウェブサーバ３００とは、それぞれのウェブサイトが有する広告枠を両者間で交換する。すなわち、第１のウェブサーバ２００のウェブサイト上の広告枠には第２のウェブサーバ３００のサービスに関する広告が表示され、第２のウェブサーバ３００のウェブサイト上の広告枠には第１のウェブサーバ２００のサービスに関する広告が表示される。
【００２７】
広告枠管理サーバ１００は、上記ウェブサイト間で交換される広告枠の表示態様をそれぞれ決定し、第１のウェブサーバ２００及び第２のウェブサーバ３００へその表示態様に関する情報を送信する。
【００２８】
ユーザ端末４００は、上記第１のウェブサーバ２００及び第２のウェブサーバ３００が提供する各サービスを利用するユーザにより使用される端末であり、例えばノートブックＰＣ、デスクトップＰＣ、タブレットＰＣ（Personal Computer）、スマートフォン、携帯電話等である。
【００２９】
［広告枠管理サーバのハードウェア構成］
図２は、上記広告枠管理サーバ１００のハードウェア構成を示した図である。同図に示すように、広告枠管理サーバ１００は、ＣＰＵ（Central Processing Unit）１１、ＲＯＭ（Read Only Memory）１２、ＲＡＭ（Random Access Memory）１３、入出力インタフェース１５、及び、これらを互いに接続するバス１４を備える。
【００３０】
ＣＰＵ１１は、必要に応じてＲＡＭ１３等に適宜アクセスし、各種演算処理を行いながら広告枠管理サーバ１００の各ブロック全体を統括的に制御する。ＲＯＭ１２は、ＣＰＵ１１に実行させるＯＳ、プログラムや各種パラメータなどのファームウェアが固定的に記憶されている不揮発性のメモリである。ＲＡＭ１３は、ＣＰＵ１１の作業用領域等として用いられ、ＯＳ、実行中の各種アプリケーション、処理中の各種データを一時的に保持する。
【００３１】
入出力インタフェース１５には、表示部１６、操作受付部１７、記憶部１８、通信部１９等が接続される。
【００３２】
表示部１６は、例えばＬＣＤ（Liquid Crystal Display）、ＯＥＬＤ（Organic ElectroLuminescence Display）、ＣＲＴ（Cathode Ray Tube）等を用いた表示デバイスである。
【００３３】
操作受付部１７は、例えばマウス等のポインティングデバイス、キーボード、タッチパネル、その他の入力装置である。操作受付部１７がタッチパネルである場合、そのタッチパネルは表示部１６と一体となり得る。
【００３４】
記憶部１８は、例えばＨＤＤ（Hard Disk Drive）や、フラッシュメモリ（ＳＳＤ；Solid State Drive）、その他の固体メモリ等の不揮発性メモリである。当該記憶部１８には、上記ＯＳや各種アプリケーション、各種データが記憶される。特に本実施形態において、記憶部１８は、第１のウェブサーバ２００のウェブサイト（以下、第１のウェブサイト）のページビューと、第２のウェブサーバ３００のウェブサイト（以下、第２のウェブサイト）のページビューとを記憶している。
【００３５】
通信部１９は、例えばEthernet用のＮＩＣ（Network Interface Card）であり、上記ユーザ端末４００との間の通信処理を担う。
【００３６】
図示しないが、第１のウェブサーバ２００及び第２のウェブサーバ３００のハードウェア構成も、上記広告枠管理サーバ１００のハードウェア構成と同様である。
【００３７】
［広告枠管理サーバのデータベース構成］
図４は、上記広告枠管理サーバ１００が有するデータベースの構成を示した図である。
【００３８】
同図に示すように、広告枠管理サーバ１００は、上記第１のウェブサーバ２００及び第２のウェブサーバ３００のような、インターネット上でＥＣサイトサービスを提供するウェブサーバ毎に、それらのウェブサイトのページビューを記憶している。
【００３９】
ページビューは、例えば１日、１週間、１ヶ月等の所定期間毎に集計され記憶される。またページビューは、各ウェブサイトのトップページについてのみならず、サブページ（下層のページ）についてもそれぞれ集計され記憶される。一般に、ユーザは各サイトのトップページに最初にアクセスするため、トップページのページビューに比較して、サブページのページビューは少なくなる傾向にある。
【００４０】
［広告枠管理サーバの動作］
次に、以上のように構成された広告枠管理サーバ１００の動作について説明する。当該動作は、広告枠管理サーバ１００のＣＰＵ１１及び通信部１９等のハードウェアと、記憶部１８に記憶されたソフトウェアとの協働により実行される。以下の説明では、便宜上、ＣＰＵ１１を動作主体とする。
【００４１】
図４は、本実施形態における広告枠管理サーバ１００が、各ウェブサイトのページビューに応じてそれらサイトに掲載される広告枠の表示態様を決定する処理の流れを示したフローチャートである。
【００４２】
本実施形態では、広告枠の表示態様の具体例として、広告枠の面積が決定される。上記フローチャートは、具体的には、第１のウェブサーバ２００からその運営するウェブサイト上の、第２のウェブサイト用の広告枠の面積に関する情報が要求された場合の動作を示す。
【００４３】
同図に示すように、まず広告枠管理サーバ１００のＣＰＵ１１は、第１のウェブサーバ２００から、第２のウェブサイト用の広告枠の面積情報要求を受信したか否かを判断する（ステップ４１）。
【００４４】
続いてＣＰＵ１１は、上記データベースを参照して、第１のウェブサイトのページビューと第２のウェブサイトの所定期間におけるページビューとを比較する（ステップ４２）。
【００４５】
続いてＣＰＵ１１は、第１のウェブサイトに表示される第２のウェブサイト用の広告枠の面積を、上記ページビューの比率に応じて算出する（ステップ４３）。
【００４６】
例えば、第１のウェブサイトのページビューが10,000で、第２のウェブサイトのページビューが5,000である場合、ＣＰＵ１１は、第１のウェブサイトに掲載される第２のウェブサイト用の広告枠の面積を、第２のウェブサイトに掲載される第１のウェブサイト用の広告枠の２倍に決定する。
【００４７】
より具体的には、例えばＣＰＵ１１は、広告枠の面積に関する所定の基準値を設定しておき、ページビューの多い方のウェブサイト用の広告枠（上記の例では第２のウェブサイトに掲載される第１のウェブサイト用の広告枠）の面積を当該基準値とし、ページビューの少ない方のウェブサイト用の広告枠（上記の例では第１のウェブサイトに掲載される第２のウェブサイト用の広告枠）をページビュー比率に応じて決定する。
【００４８】
そしてＣＰＵ１１は、算出した面積情報を、第１のウェブサーバ２００へ送信する（ステップ４４）。
【００４９】
第２のウェブサーバ３００から、第２のウェブサイト上に掲載される第１のウェブサイト用の広告枠の面積情報の要求が受信された際も、ＣＰＵ１１は上記と同様の処理を実行する。
【００５０】
［ウェブサーバの動作］
次に、上記広告枠面積算出処理の際の上記第１のウェブサーバ２００の動作を説明する。図５は、当該第１のウェブサーバ２００の動作の流れを示したフローチャートである。
【００５１】
同図に示すように、第１のウェブサーバ２００は、ユーザ端末４００から、トップページの表示要求を受信したか否かを判断する（ステップ５１）。
【００５２】
トップページの表示要求を受信したと判断した場合（Ｙｅｓ）、第１のウェブサーバ２００は、広告枠管理サーバ１００へ、第１のウェブサイト上に掲載する第２のウェブサイト用の広告枠の面積情報を要求する（ステップ５２）。
【００５３】
広告枠管理サーバ１００から広告枠面積情報を受信したと判断した場合（ステップ５３のＹｅｓ）、第１のウェブサーバ２００は、受信した面積情報を基に、第２のウェブサイト用の広告枠面積を設定する（ステップ５４）。
【００５４】
続いて第１のウェブサーバ２００は、上記広告枠に掲載する広告情報及びその他のウェブページ素材を所定のフォーマットに組み込んで、トップページを生成する（ステップ５５）。
【００５５】
そして第１のウェブサーバ２００は、上記生成したトップページをユーザ端末４００へ送信して表示させる（ステップ５６）。
【００５６】
図示しないが、第２のウェブサーバ３００がユーザ端末４００からトップページの表示要求を受信した際の動作も上記と同様である。
【００５７】
［広告枠の表示態様］
図６は、第１のウェブサイトのトップページの表示例を示した図であり、図７は、第２のウェブサイトのトップページの表示例を示した図である。
【００５８】
両図の例では、第１のウェブサイトのページビューが第２のウェブサイトのページビューの２倍あった場合を想定している。
【００５９】
図６に示すように、第１のウェブサイトでは、例えばその下部に、第２のウェブサイトを広告する広告情報が掲載される広告枠６０が設けられる。
【００６０】
また図７に示すように第２のウェブサイトでも、例えばその下部に、第１のウェブサイトを広告する広告情報が掲載される広告枠７０が設けられる。
【００６１】
ここで、上述のとおり、第１のウェブサイトのページビューが第２のウェブサイトのページビューの２倍であるため、広告枠６０は、広告枠７０の２倍の面積に設定される。
【００６２】
［実施形態のまとめ］
以上説明したように、本実施形態では、広告枠管理サーバ１００は、広告枠を交換する各ウェブサイトのページビューに応じて、広告枠の面積を決定して各ウェブサーバへその情報を送信して広告枠の面積を設定させることで、広告枠の露出度によって実質的に両サイト間のページビューの差を吸収することができる。これにより広告枠管理サーバ１００は、ページビューの異なるサイト間で、広告情報を露出度が公平になるように交換させることができる。
【００６３】
［変形例］
本発明は上述の実施形態にのみ限定されるものではなく、本開示の要旨を逸脱しない範囲内において種々変更され得る。
【００６４】
上述の実施形態においては、各ウェブサイトのページビューに応じて、交換される広告枠の面積が可変された。しかし、可変される広告枠の表示態様は面積に限られない。
【００６５】
例えば、面積の代わりに、ウェブサイト上での広告枠の位置がページビューに応じて可変されてもよい。
【００６６】
すなわち、ページビューが少ないウェブサイト上に表示される広告枠は、ページビューが多いウェブサイト上に表示される広告枠よりも上部に表示されてもよい。
【００６７】
具体的には、広告枠管理サーバ１００は、各ウェブページ上の上下方向の位置（ｙ座標）について、所定の基準座標（例えばページ下部）を設定しておき、ページビューが多い方のウェブサイト上の広告枠を当該基準座標上に設定し、ページビューが少ない方のウェブサイト上の広告枠を、当該基準座標からページビュー比率だけ上部に移動させた座標上に設定する。
【００６８】
また、複数の階層から構成されるウェブサイトの場合には、広告枠が表示されるページがページビューに応じて可変されてもよい。
【００６９】
すなわち、ページビューが少ない方のウェブサイトにおいては、例えばトップページに広告枠が配置される一方、ページビューが多い方のウェブサイトにおいては、例えば所定ジャンルのページ等、下層（サブ）ページに広告枠が配置される。この場合、上記データベースを基に、ページビューが少ないウェブサイトのページビューと同等のページビューを有する下層ページが検出される。
【００７０】
一方のトップページとページビューが同等となる他方の下層ページが存在しない場合には、双方のウェブサイトの下層ページ同士でページビューが同等となるページが検出されて広告枠が表示されてもよい。
【００７１】
また、ウェブサイト上にキーワードによる検索が可能なインタフェースが設けられている場合には、特定のキーワードによる検索要求に対する検索結果ページに広告枠が表示されてもよい。
【００７２】
すなわち、ページビューが少ない方のウェブサイトにおいては、例えばトップページに広告枠が表示される一方、ページビューが多い方のウェブサイトにおいては、特定のキーワード検索結果ページに広告枠が表示される。この場合、上記データベースには、様々なキーワードによる検索結果ページのページビューがキーワード毎に記憶され、ページビューが少ない方のトップページのページビューと同等のページビューを有する検索結果ページが検出される。
【００７３】
また、一方のウェブサイトにおけるあるキーワードによる検索結果ページのページビューと、他方のウェブサイトにおける上記とは異なるキーワードによる検索結果ページのページビューとが同等となる場合には、それら検索結果ページに広告枠がそれぞれ表示されてもよい。
【００７４】
また、広告枠の面積や位置のほか、広告枠の数が可変されてもよい。この場合ページビューが少ない方のウェブサイト上にはページビューが多い方のウェブサイト上よりも多くの数の広告枠が表示される。
【００７５】
上述の実施形態においては、広告枠管理サーバ１００が両ウェブサイト上の広告枠の表示態様を決定していたが、広告枠管理サーバ１００が存在していなくてもよい。すなわち、各ウェブサーバが自身のウェブサイトのページビューを記憶し、それらのデータを交換するか、一方から他方へ提供して上記と同様のデータベースが構築されることで、上述の実施形態と同様の機能が実現される。
【００７６】
上述の実施形態では、２つのウェブサイト間で広告枠が交換されたが、３つ以上のページビューが異なるウェブサイト間で、実質的な広告枠の露出度が同等となるような広告枠の面積、位置、数等が算出され広告枠が交換されてもよい。
【００７７】
上述の実施形態においては、第１のウェブサーバ２００がインターネットモールサイトを運営し、第２のウェブサーバ３００がオークションサイトを運営する例を示したが、各サーバが運営するサイトにおけるサービスの種類はこれらに限られない。例えば、旅行予約サイト、レストラン情報サイト、ゴルフ場予約サイト、ニュースサイト、レシピ情報サイト、インターネットバンキングサイト等、様々なサービスを提供するウェブサイト上の広告枠について本発明が適用され得る。
【符号の説明】
【００７８】
１１…ＣＰＵ
１８…記憶部
１９…通信部
５０…インターネット
６０、７０…広告枠
１００…広告枠管理サーバ
２００…第１のウェブサーバ
３００…第２のウェブサーバ
４００…ユーザ端末
【要約】
本発明は、第１のウェブサーバが提供する第１のウェブサイトの所定期間における第１のページビューと、前記第２のウェブサーバが提供する第２のウェブサイトの前記所定期間における第２のページビューとを取得し、前記第１のページビューと前記第２のページビューとの比率に応じて、前記第１のウェブサイト内で前記第２のウェブサイトに関連するコンテンツが表示される第１のコンテンツ枠の表示態様と、前記第２のウェブサイト内で前記第１のウェブサイトに関連するコンテンツが表示される第２のコンテンツ枠の表示態様とを、前記第１のコンテンツ枠の露出度と前記第２のコンテンツ枠の露出度とがほぼ同等となるように決定し、前記決定された第１のコンテンツ枠の表示態様に関する情報を前記第１のウェブサーバへ送信し、前記決定された第２のコンテンツ枠の表示態様に関する情報を前記第２のウェブサーバへ送信する。【図１】
0005614698.tif 000002
【図２】
0005614698.tif 000003
【図３】
0005614698.tif 000004
【図４】
0005614698.tif 000005
【図５】
0005614698.tif 000006
【図６】
0005614698.tif 000007
【図７】
0005614698.tif 000008